(57)【要約】【課題】排気ガス中の未反応の処理ガスや反応副生成物を高い回収率で捕集することができるとともに、排気系のコンダクタンスの低下を抑制することができ、寿命の長い排気トラップを提供する。【解決手段】本発明の排気トラップ２０は、排気ガスの導入口２１及び導出口２２を有するトラップ容器２１の内部に、導入口側に配置された拡散部材２４と、拡散部材よりも導出口側に離間して配置された充填型フィルタ２５とを有し、拡散部材の配置領域には通気空間が確保され、拡散部材は、導入口と離間して配置されることを特徴とする。【選択図】          図１
2004305950.tif 000002
【特許請求の範囲】
【請求項１】
排気ガスの導入口及び導出口を有するトラップ容器の内部に、前記導入口よりも大きい断面積を有する充填型フィルタが収容配置され、前記導入口と前記充填型フィルタとの間に前記導入口よりも大きい断面積を有する空間が設けられていることを特徴とする排気トラップ。
【請求項２】
排気ガスの導入口及び導出口を有するトラップ容器の内部に、前記導入口側に配置された、前記排気ガスを拡散させる拡散部材と、前記拡散部材よりも前記導出口側に離間して配置されたフィルタとを有し、前記拡散部材の配置領域には通気空間が確保され、前記拡散部材は、前記導入口と離間して配置されていることを特徴とする排気トラップ。
【請求項３】
前記フィルタは、充填型フィルタであることを特徴とする請求項２に記載の排気トラップ。
【請求項４】
前記拡散部材は、前記排気ガスに晒されることによりその表面に堆積物を凝着させる凝着手段を有することを特徴とする請求項２又は３に記載の排気トラップ。
【請求項５】
前記拡散部材は、前記凝着手段として少なくとも前記導入口側に凹凸表面を有することを特徴とする請求項４に記載の排気トラップ。
【請求項６】
前記凝着手段として、前記拡散部材により排気ガスを加熱若しくは冷却する手段を有することを特徴とする請求項４に記載の排気トラップ。
【請求項７】
前記拡散部材は、前記フィルタを貫通して伸びる支柱によって支持され、該支柱が前記拡散部材を加熱若しくは冷却するように構成されていることを特徴とする請求項６に記載の排気トラップ。
【請求項８】
前記拡散部材は、前記フィルタの全範囲から見て前記導入口の開口範囲を平面的に全て覆うように構成されていることを特徴とする請求項２乃至７のいずれか一項に記載の排気トラップ。
【請求項９】
請求項１乃至８のいずれか一項に記載の排気トラップの前記導出口に開閉弁を介して排気手段を接続し、該排気手段により排気を行いながら前記導入口からクリーニングガスを導入するとともに、前記開閉弁の開度を小さくすることによって前記排気トラップの内圧を上昇させることにより、前記排気トラップをクリーニングするクリーニング工程を設けることを特徴とする排気トラップのクリーニング方法。
【請求項１０】
前記クリーニング工程の前に、前記開閉弁の開度を大きくしてパージガスを流すことにより前記排気ガスを排除する排気ガス排除工程と、前記クリーニング工程の後に、前記開閉弁の開度を大きくしてパージガスを流すことにより前記クリーニングガスを排除するクリーニングガス排除工程とを有することを特徴とする請求項９に記載の排気トラップのクリーニング方法。
【請求項１１】
複数の処理ガスを供給するガス供給手段と、該ガス供給手段によって供給される前記処理ガスを導入して反応させる反応処理室と、反応処理室に接続された排気ラインと、排気ラインに接続された請求項１乃至８のいずれか一項に記載の排気トラップと、該排気トラップの下流側に接続された排気手段とを有することを特徴とする反応処理装置。
【請求項１２】
前記排気トラップと前記排気手段との間に開度を調整可能な開閉弁を有し、前記処理ガスの一つがクリーニングガスであることを特徴とする請求項１１に記載の反応処理装置。
【請求項１３】
前記クリーニングガスを前記排気トラップに流しながら前記開閉弁の開度を低下させて前記排気トラップの内圧を上昇させ、前記排気トラップの内部をクリーニングするクリーニング工程が実施可能に構成されていることを特徴とする請求項１２に記載の反応処理装置。
【請求項１４】
前記クリーニング工程の前に、前記開閉弁の開度を大きくしてパージガスを流すことにより前記排気ガスを排除する排気ガス排除工程と、前記クリーニング工程の後に、前記開閉弁の開度を大きくしてパージガスを流すことにより前記クリーニングガスを排除するクリーニングガス排除工程とを実施可能に構成されていることを特徴とする請求項１３に記載の反応処理装置。
【発明の詳細な説明】
【０００１】
【発明の属する技術分野】
本発明は排気トラップ、排気トラップのクリーニング方法及び反応処理装置に係り、特に、半導体処理装置に設けられる排気系に適用する場合に好適な排気処理技術に関する。
【０００２】
【従来の技術】
一般に、電子機器や電子部品の製造工程においては、半導体ウエハやガラス基板などの各種基板上に種々の処理が施される。これらの各種処理の中には、排気系に接続された反応処理室内に反応性の処理ガスが導入され、この処理ガスが反応処理室内において反応することにより基板に対して施される成膜処理やエッチング処理などの反応処理がある。このような反応性の処理ガスを用いる反応処理においては、反応処理室内から排気系にそのまま未反応の処理ガスが排出されたり、反応処理室の反応により生じた反応副生成物などが排出されたりする。
【０００３】
上記の未反応の処理ガスや反応副生成物は、そのまま大気中に放出されることによって環境汚染の原因になるとともに、処理ガスの種類によっては排気系の内部に堆積物を生じさせて排気系のコンダクタンスを低下させたり、排気装置の故障を招いたりするという問題点がある。そこで、従来から、排気ラインの途中に排気トラップを介挿し、この排気トラップにおいて未反応の処理ガスを反応させたり、反応副生成物を捕集したりすることによって、下流側の排気系の不具合を回避するといった方法が採用されている。排気トラップとしては、ハウジングの内部に複数のバッフル板を配置したバッフル板型トラップやマイクロメッシュを配置したメッシュ型トラップなどが知られている（たとえば、以下の特許文献１及び２参照）。
【０００４】
例えば、ＴｉＣｌ４（四塩化チタン）、ＷＦ６（六フッ化タングステン）、（Ｔａ（ＯＥ）５）２（ペントエトキシタンタル）などの高融点金属化合物ガスを用いて成膜処理を施す場合には、排気ガスの蒸気圧が高いことなどにより未反応の処理ガスや反応副生成物を排気トラップで除去することが難しいため、充分な回収率を得ることができず、下流側の排気装置や除害装置に負担がかかり、ランニングコストの上昇などを招いている。そこで、排気トラップの手前において排気系路中に上記の未反応の処理ガスと反応する反応ガスを導入し、この反応ガスによる反応によって排気トラップ内における凝着物の堆積を促進させるといった方法が提案されている（たとえば、以下の特許文献３参照）。
【０００５】
【特許文献１】
特開平９−７２２９１号公報
【特許文献２】
特開２０００−４５０７３号公報
【特許文献３】
特開２００１−２１４２７２号公報
【０００６】
【発明が解決しようとする課題】
しかしながら、上記従来の排気トラップにおいては、バッフル板やマイクロメッシュにより未反応の処理ガスにより生じた生成物や反応副生成物などを捕集するように構成されているが、特に上述の高融点金属化合物ガスを用いる処理装置に適用した場合にはその回収率が低く、また、上記のような反応ガスの導入による回収率の向上効果もある程度限定されているのが現状である。したがって、排気系の下流側に接続されている排気装置や除害装置における凝着物の堆積が充分に低減されず、排気装置のメンテナンス作業を頻繁に行わなければならないという問題点がある。
【０００７】
特に、近年、反応室内において基板上に原子層単位で成膜を行うＡＬＤ（Ａｔｏｍｉｃ  Ｌａｙｅｒ  Ｄｅｐｏｓｉｔｉｏｎ）などを実施する装置では、きわめて大量の反応副生成物や未反応の処理ガスが発生するため、通常の排気トラップでは対応できないという問題点もある。
【０００８】
ところで、従来のバッフル板やマイクロメッシュを用いた排気トラップの代わりに、図４に示すような細片、細粒、繊維などの充填物を充填させてなる充填型フィルタ１４をハウジング１１内に配置した排気トラップ１０を用いることが考えられる。この排気トラップ１０においては、排気ガスは導入口１２から導入されて充填型フィルタ１４を通過し、導出口１３から排出される。充填型フィルタ１４の内部には、セラミックヒータなどの加熱部材１５が挿入配置され、また、フィルタ内の温度を検出するための熱電対などの温度検出器１６が配置される。このような排気トラップ１０においては、加熱部材１５による加熱によって未反応の処理ガスの反応が生起されるとともに、充填型フィルタ１４によって反応副生成物が効率的に捕集されることが期待される。
【０００９】
しかしながら、上記の充填型フィルタ１４を用いた上記の排気トラップ１０では、導入口１２の近傍において堆積物１７が集中的に捕集されるため、きわめて短時間のうちに排気系のコンダクタンスが低下するので、反応室の減圧が不可能になるなど、処理を継続することができなくなる。したがって、頻繁に排気トラップ１０の内部の充填型フィルタ１４を取り替える必要があり、メンテナンス作業が煩雑になるという問題点がある。一方、堆積物１７が導入口１２の近傍に集中して堆積することから、導入口１２から離れた場所に配置されていた充填物においては堆積物１７の付着量は比較的少ない。ところが、実際にはメンテナンスにより排気系のコンダクタンスを十分に改善させるためには全ての充填物を交換しなければならないため、充填物の無駄が多いという問題点もある。また、バッフル板やマイクロメッシュを用いた排気トラップにおいても、導入口近傍に堆積物が集中的に捕集されてしまう場合がある。
【００１０】
そこで本発明は上記問題点を解決するものであり、その課題は、排気ガス中の未反応の処理ガスや反応副生成物を高い回収率で捕集することができるとともに、排気系のコンダクタンスの低下を抑制することができ、寿命の長い排気トラップを提供することにある。また、排気トラップを分解清掃や部品交換などを行わずに延命させることのできる排気トラップのクリーニング方法或いは反応処理装置を提供することにある。
【００１１】
【課題を解決するための手段】
上記課題を解決するために本発明の排気トラップは、排気ガスの導入口及び導出口を有するトラップ容器の内部に、前記導入口よりも大きい断面積を有する充填型フィルタが収容配置され、前記導入口と前記充填型フィルタとの間に前記導入口よりも大きい断面性を有する空間が設けられていることを特徴とする。この発明によれば、導入口と充填型フィルタとの間に空間が設けられていることにより、導入口から導入された排気ガスは上記空間において広がった後に前記充填型フィルタに到達するため、充填型フィルタの一部への堆積物の集中を緩和することができ、充填型フィルタの断面積のより広い範囲を有効に利用することができることから、充填型フィルタの目詰まりを低減することができ、排気トラップの長寿命化を図ることができる。
【００１２】
また、本発明に係る別の排気トラップは、排気ガスの導入口及び導出口を有するトラップ容器の内部に、前記導入口側に配置された、前記排気ガスを拡散させる拡散部材と、該拡散部材よりも前記導出口側に離間して配置されたフィルタとを有し、前記拡散部材の配置領域には通気空間が確保され、前記拡散部材は、前記導入口と離間して配置されていることを特徴とする。この発明によれば、導入口から導入される排気ガスは拡散部材によって拡散された後にフィルタに到達するため、フィルタの一部への堆積物の集中を緩和することができ、フィルタの断面積のより広い範囲を有効に利用することができることから、フィルタの目詰まりを低減することができ、排気トラップの長寿命化を図ることができる。また、拡散部材において堆積物を捕集することができれば（拡散部材が凝着機能を有する場合には）、下流側の充填型フィルタにおける堆積物の付着量を低減することができるので、さらなる長寿命化を図ることができる。この場合、拡散部材の配置領域に充分な通気空間が確保されていれば、拡散部材への堆積物の付着によって目詰まりが生ずることも回避できる。
【００１３】
本発明において、前記フィルタは、充填型フィルタであることが好ましい。充填型フィルタである場合には、堆積物の捕集率を高めることができる反面、堆積物の集中による目詰まりが生じやすいが、本発明では充填型フィルタにおいても堆積物の集中や目詰まりを低減することができるため、充填型フィルタの利点を有効に享受することができる。
【００１４】
なお、充填型フィルタとしては、砕片、細片、細粒、帯材、繊維材などのような比較的小さな寸法を有する充填物を充填したものを広く包含する。また、たとえば、線材や繊維材を押し固めたようなものも含む。
【００１５】
また、トラップ容器には、導入口の近傍に、導入口から下流側に向かうに従って徐々に内部断面が拡大する拡径部が設けられることが好ましい。これによって排気ガスをスムーズに拡散させることができる。さらに、トラップ容器には、導出口の近傍に、導出口に向かうに従って徐々に内部断面が縮小する縮径部が設けられることが好ましい。この縮径部の内側には上記充填型フィルタが配置される。これにより、充填型フィルタにおいて排気ガスが流通しない領域を低減でき、充填物への堆積物の付着量の均一化を図ることができるため、フィルタの目詰まりの低減や充填物の無駄を回避することができる。
【００１６】
本発明において、前記拡散部材は、前記排気ガスに晒されることによりその表面に堆積物を凝着させる凝着手段を有することが好ましい。これによって拡散部材によって堆積物を効率的に捕集することが可能になるため、フィルタへの堆積量を低減することができることから、フィルタの目詰まりをさらに低減できる。
【００１７】
本発明において、前記拡散部材は、前記凝着手段として少なくとも前記導入口側に凹凸表面を有することが好ましい。これによって、少なくとも排気ガスに直接晒される部分において拡散部材の表面積を増大することができるため、拡散部材への堆積物の付着効率を高めることができる。
【００１８】
本発明において、前記凝着手段として、前記拡散部材により排気ガスを加熱若しくは冷却する手段を有することが好ましい。拡散部材が排気ガスを加熱若しくは冷却するように構成されていることによって、排気ガスの種類に応じて排気ガス中の未反応の処理ガスの化学反応や凝縮作用を促進することができるため、拡散部材に対する堆積物の付着量を増加させることができ、これによってフィルタの目詰まりをさらに低減できる。
【００１９】
なお、この場合において、上記の充填型フィルタもまた、排気ガスを加熱若しくは冷却するように構成されていることが好ましい。これによって、排気トラップの捕集効率をさらに高めることができる。
【００２０】
本発明において、前記拡散部材は、前記フィルタを貫通して伸びる支柱によって支持され、該支柱が前記拡散部材を加熱若しくは冷却するように構成されていることが好ましい。すなわち、拡散部材を加熱若しくは冷却する加熱部材若しくは冷却部材が上記支柱（支持部材）としての機能をも有することによって、拡散部材を加熱若しくは冷却することができるとともに、別途の支持構造を設けなくても、拡散部材を配置固定することができる。特に、このような構成は、拡散部材をフィルタに対して離間した位置に固定するために有利な構成である。この場合に、前記支柱（支持部材、加熱部材或いは冷却部材）が拡散部材とフィルタとを同時に加熱若しくは冷却することができるように構成することがさらに望ましい。
【００２１】
本発明において、前記拡散部材は、前記フィルタの全範囲から見て前記導入口の開口範囲を平面的に全て覆うように構成されていることが好ましい。フィルタの全範囲から見て拡散部材が導入口の開口範囲（開口断面部分）を全て平面的に覆うように構成されていることにより、導入口から導入された排気ガスが拡散部材による影響を受けずに直接にフィルタの一部に到達するといったことがなくなるため、フィルタの一部に堆積物が集中して付着することが少なくなり、フィルタにおける堆積物の分散化によって、排気トラップを大幅に長寿命化することができる。
【００２２】
次に、本発明に係る排気トラップのクリーニング方法は、上記のいずれかに記載の排気トラップの前記導出口に開閉弁を介して排気手段を接続し、該排気手段により排気を行いながら前記導入口からクリーニングガスを導入するとともに、前記開閉弁の開度を小さくすることによって前記排気トラップの内圧を上昇させることにより、前記排気トラップをクリーニングするクリーニング工程を設けることを特徴とする。排気手段により排気を行いながらクリーニングガスを導入することにより、排気トラップの寿命をさらに長くすることができる。また、このクリーニング工程は、開閉弁の開度を小さくすることにより排気トラップの内圧を比較的高くした状態で行われるので、クリーニングガスによる内部浄化を効率的に行うことができることから、短時間に排気トラップを清浄化することができ、或いは、より高度な清浄作用を得ることができる。なお、開閉弁の開度を小さくするとは、通常の排気系の動作時（排気ガスを排気しているとき）の開度に較べて小さくすることを意味する。
【００２３】
本発明において、前記クリーニング工程の前に、前記開閉弁の開度を大きくしてパージガスを流すことにより前記排気ガスを排除する排気ガス排除工程と、前記クリーニング工程の後に、前記開閉弁の開度を大きくしてパージガスを流すことにより前記クリーニングガスを排除するクリーニングガス排除工程とを有することが好ましい。排気ガスを排除する排気ガス排除工程及び／又はクリーニングガスを排除するクリーニングガス排除工程において、開閉弁の開度を大きくすることによって工程時間を短縮することができ、また、残ガスの排除度合を高めることができる。
【００２４】
次に、本発明に係る反応処理装置は、複数の処理ガスを供給するガス供給手段と、該ガス供給手段によって供給される前記処理ガスを導入して反応させる反応処理室と、反応処理室に接続された排気ラインと、排気ラインに接続された上記のいずれかに記載の排気トラップと、該排気トラップの下流側に接続された排気手段とを有することを特徴とする。ここで、ＴｉＣｌ４（四塩化チタン）、ＷＦ６（六フッ化タングステン）、（Ｔａ（ＯＥ）５）２（ペントエトキシタンタル）などの高融点金属化合物ガスを上記処理ガスとして用いて成膜処理を行う成膜処理装置である場合に本発明は特に有効である。また、上記の高融点金属化合物ガスとともに用いられる他の処理ガスとしては、ＴｉＣｌ４とともに還元性ガスとして用いられるＨ２やＮＨ３、ＷＦ６とともに還元性ガスとして用いられるＳｉＨ４やＳｉＨ２Ｃｌ２、（Ｔａ（ＯＥ）５）２とともに酸化ガスとして用いられるＯ２などが挙げられる。
【００２５】
本発明において、前記排気トラップと前記排気手段との間に開度を調整可能な開閉弁を有し、前記処理ガスの一つがクリーニングガスであることが好ましい。このクリーニングガスとしては、ＣｌＦ３などが挙げられる。
【００２６】
本発明において、前記クリーニングガスを前記排気トラップに流しながら前記開閉弁の開度を低下させて前記排気トラップの内圧を上昇させ、前記排気トラップの内部をクリーニングするクリーニング工程が実施可能に構成されていることが好ましい。たとえば、このクリーニング工程は、反応処理装置の制御部によって自動的に実行される。
【００２７】
本発明において、前記クリーニング工程の前に、前記開閉弁の開度を大きくしてパージガスを流すことにより前記排気ガスを排除する排気ガス排除工程と、前記クリーニング工程の後に、前記開閉弁の開度を大きくしてパージガスを流すことにより前記クリーニングガスを排除するクリーニングガス排除工程とを実施可能に構成されていることが好ましい。たとえば、この排気ガス排除工程、クリーニング工程、及び、クリーニングガス排除工程は、反応処理装置の制御部によって自動的に順次実行される。
【００２８】
なお、上記各発明において、排気トラップの上流側、或いは、排気トラップの内部に、排気ガス中の未反応の処理ガスと反応する反応ガスを導入するように構成することが好ましい。特に、上記排気トラップの内部に反応ガスを導入する場合には、拡散部材の導入口側において反応ガスを導入することが望ましい。
【００２９】
【発明の実施の形態】
次に、添付図面を参照して本発明に係る排気トラップ、排気トラップのクリーニング方法及び反応処理装置の実施形態について詳細に説明する。
【００３０】
［第１実施形態］
図１は第１実施形態の排気トラップ２０の構造を示す概略断面図、図２は拡散部材の構造を示す底面図（ａ）、Ｂ−Ｂ断面図（ｂ）、平面図（ｃ）及びＤ−Ｄ断面図（ｄ）である。なお、図１の一点鎖線より右側は図２に示すＢ−Ｂ断面に相当する断面を示し、一点鎖線より左側は図２に示すＤ−Ｄ断面に相当する断面を示してある。
【００３１】
この排気トラップ２０は、ハウジング２１に導入口２２及び導出口２３が設けられ、その内部の導入口２２側に拡散部材（凝着板）２４が配置され、導出口側に充填型フィルタ２５が配置されている。拡散部材２４は、導入口２２に対して離間して配置されている。より具体的には、ハウジング２１は、導入口２２と充填型フィルタ２５との間に導入口２２の開口面積よりも広い断面積を有する空間を形成している。そして、上記の充填型フィルタ２５は、導入口２２の開口面積よりも大きな断面積を有するものとなっている。さらに、上記空間の内部に上記拡散部材２４が配置されている。この拡散部材２４は、ハウジング２１の流路断面（上記空間の断面）よりも一回り小さな板状体として構成され、これによって拡散部材２４の配置領域に通気空間（図示例では拡散部材２４の周囲にある。）が確保されている。さらに、充填型フィルタ２５は、拡散部材２４に対して導出口２３側（下流側）に離間して配置されている。
【００３２】
拡散部材２４は、アルミニウム、アルミニウム合金、ステンレス鋼などの金属で構成されていることが好ましい。図２にも示すように、拡散部材２４の導入口２２側に向いた表面２４ａは、微細な凹凸形状を有する凹凸表面となっている。これによって、拡散部材２４の表面積は設置面積よりも大幅に増大している。この凹凸表面は、エンボス加工などによって簡単に形成できる。拡散部材２４の裏面側には、下流側に突出した筒状構造などを有する取付部２４ｂが設けられている。取付部２４ｂは複数（図示例では６つ）設けられていて、ここにセラミックヒータなどの加熱部材２７の先端部が装着（挿入）される。また、拡散部材２４の裏面側には凹穴２４ｃ（図２参照）が形成され、この凹穴２４ｃには熱電対などの温度検出器２８が挿入配置される。
【００３３】
ここで、排気トラップ２０の内部において、充填型フィルタ２５の設置範囲（表面範囲）のどこから見ても、導入口２２の開口断面（開口範囲）は拡散部材２４によって平面的に完全に覆われるように構成されている。換言すれば、導入口２２の開口範囲から拡散部材２４に触れることなく直線的に充填型フィルタ２５に到達することができないように構成されている。
【００３４】
本実施形態においては、導入口２２から導入される排気ガスは、導入口２２の開口断面よりも大きな断面を有する上記空間内において拡散し、充填型フィルタ２５のより広い範囲を通過するように構成される。このとき、拡散部材２４は、導入口２２から導入される排気ガスの拡散を助長し、充填型フィルタ２５の断面のより広い範囲に排気ガスを導くことによって、充填型フィルタ２５の一部（例えば、導入口２２直下にある部分）に対する堆積物の集中を緩和するように構成される。
【００３５】
充填型フィルタ２５は、砕片、細片、細粒、帯材、繊維材などの各種充填物を充填してなるものである。これらの充填物としては、特に、線構造の金属充填物であることが好ましい。たとえば、「ラシヒスーパーリング」（商標、ラシヒ社製）が挙げられる。このような充填物は、メッシュ構造のカゴ（箱）などで構成される収容枠２６内に充填配置されている。この充填型フィルタ２５は、ハウジング２１内の排気経路の全流路断面に亘って配置されている。すなわち、この充填型フィルタ２５の配置領域には充填物が全く配置されていない通気空間が存在しないように構成されている。
【００３６】
上記の加熱部材２７は、ハウジング２１の外側から内部に導入され、充填型フィルタ２５を貫通して上記拡散部材２４（の取付部２４ｂ）に装着されている。そして、この加熱部材２７は、拡散部材２４を支持する支柱（支持部材）としても機能するようになっている。これによって、拡散部材２４の周囲に専用の支持部材を配置したり取り付けたりする必要がなくなるので、排気トラップ２０のコンダクタンスを高めることができるとともに、拡散部材２４の清掃、交換などのメンテナンス作業も容易になる。
【００３７】
この第１実施形態は、特に、高融点金属化合物ガスを用いるプロセスの排気系に装着される場合に好適な排気トラップとなっている。特に、ＷＦ６と、ＳｉＨ４やＳｉＨ２Ｃｌ２などの還元性ガスとの反応によってＷ薄膜を形成するプロセスに用いられる。このプロセスにおいては、排気ガスを加熱することによって排気ガス中の未反応の処理ガスが反応し、堆積物を生ずる。このため、本実施形態では、加熱部材２７によって拡散部材２４を所定温度となるように加熱することによって、この拡散部材２４（特にその表面２４ａ）に反応生成物である堆積物を主体的に付着させる。これにより、下流側に配置された充填型フィルタ２５における堆積物の付着量を低減することができる。つまり、本実施形態における拡散部材２４は、排気ガスによる堆積物を、充填型フィルタ２５に先立って捕集する凝着機能をも有している。
【００３８】
ここで、導入口２２、拡散部材２４、充填型フィルタ２５は相互に間隔を有して離間して配置されているため、排気トラップ２０のコンダクタンスは、拡散部材２４への堆積物の付着量にはほとんど依存せず、基本的に充填型フィルタ２５の目詰まりの程度により決定される。したがって、充填型フィルタ２５における堆積物の付着量を低減できれば、排気トラップ２０のコンダクタンスを長期間に亘って維持することができ、その長寿命化を図ることができる。
【００３９】
なお、拡散部材２４の表面２４ａは凹凸形状とされているため、その表面積が増大し、排気ガスに対する作用効果の度合も増大するため、拡散部材２４における堆積物の付着量をより増加させることができる。
【００４０】
特に、本実施形態では、充填フィルタ２５の全表面範囲から見て導入口２２の開口範囲が拡散部材２４により平面的に完全に覆われる構成となっているため、導入口２２から導入された排気ガスが拡散部材２４の影響を全く受けずに充填型フィルタ２５に到達することがないように構成されている。これによって、充填型フィルタ２５に対して局所的に堆積物が集中して付着するといったことが低減される。特に、上記のＷＦ６などの高融点金属化合物ガスは重いガスであるため、排気経路に沿って直線的に流れやすい。したがって、導入口２２から導入された上記ガスは直線的に進んでほとんどが拡散部材２４の表面に接近し、拡散部材２４によって加熱されて反応するので、拡散部材２４における堆積物の回収率（捕集率）はきわめて高くなる。
【００４１】
また、拡散部材２４が導入口２２から充填型フィルタ２５に至る経路途中に上記のように配置されていることによって、排気ガスが乱され攪拌されて充填型フィルタ２５に流入するため、充填型フィルタ２５の特定箇所に堆積物が集中的に付着するといったことがなくなり、堆積物の付着分布の偏りが緩和される。したがって、上記と同様にコンダクタンスの低下が抑制され、排気トラップの寿命を延ばすことができる。
【００４２】
［第２実施形態］
次に、図３を参照して、本発明に係る第２実施形態の排気トラップ３０について説明する。この実施形態では、上記第１実施形態とほぼ同様の、ハウジング３１、導入口３２、導出口３３、表面３４ａ及び取付部３４ｂを備えた拡散部材３４、充填型フィルタ３５、収容枠３６、加熱部材３７、及び、温度検出器３８を有するため、同様の部分については説明を省略する。
【００４３】
上記の第１実施形態では、ハウジング２１が導入口２２側にて開閉できるように構成されているのに対して、この第２実施形態では、ハウジング３１が導出口３３側で開閉できるように構成されている。
【００４４】
また、第２実施形態では、ハウジング内部の充填型フィルタ３５（及び収容枠３６）の底面と、導出口３３との間に間隔Ｇが設けられている。また、充填型フィルタ３５における導出口３３に臨む底面部位以外の底面部分は、ハウジング３１の内面に間隔Ｇで対向配置されている。この間隔Ｇが設けられていることにより、充填フィルタ３５の実質的な通気断面積を第１実施形態の構造よりも大きくすることができる。たとえば、第１実施形態では、充填型フィルタ２５の底部が、充填型フィルタ２５の断面積より小さな導出口２３の開口部に接している。したがって、充填型フィルタ２５の底部近傍の外周部には排気ガスが流れにくくなるため、実質的な通気断面積が減少する。このことは、排気トラップ２０のコンダクタンスの低下及び短命化につながる可能性がある。これに対して、本実施形態においては、第１実施形態よりも充填型フィルタ３５の通気断面積を実質的に増大させることができるため、特に、充填型フィルタ３５のより広い断面範囲を用いて堆積物を捕集することができることになるから、充填物に対する堆積物の付着分布を第１実施形態よりも分散させることが可能になるため、コンダクタンスの向上及び長寿命化を図ることができる。
【００４５】
［反応処理装置］
次に、本発明に係る反応処理装置の実施形態について図５を参照して説明する。図５は、反応処理装置１００の構成を模式的に示す概略構成図である。
【００４６】
この反応処理装置１００は、ガス供給手段１１０と、反応処理室１２０と、排気系１３０とを有する。ガス供給手段１１０は、上述のような高融点金属化合物ガス、還元性ガス、酸化性ガス、Ｈｅ、Ｎ２、Ａｒなどの不活性ガスなど、各種のガスを反応処理室１２０に供給するように構成されている。より具体的な構成としては、ガスボンベや気化器などのガス発生手段、流量制御器、弁、配管などが挙げられる。これらは、反応処理装置１００の全体を統括する制御部（マイクロプロセッサユニットやプログラマブルコントローラなどにより構成できる。）１００Ａによって制御されるように構成される。なお、上記の各種ガスを反応処理室１２０を介することなく直接に排気系１３０に導入するためのバイパスライン（プリフローライン）１１３が設けられている。
【００４７】
反応処理室１２０は、ガス供給手段１１０によって供給されるガスを導入し、排気系１３０によって実現される所定の減圧環境下において各種の反応処理を行うためのものである。この反応処理としては、成膜処理、エッチング処理などが挙げられる。反応処理室１２０には、処理対象となる基板（半導体ウエハやガラス基板など）が配置される。反応処理室１２０には、排気ライン１２１が接続されている。この排気ライン１２１には、圧力調整弁１２２、開閉弁１２３、圧力計１２４などが接続される。圧力調整弁１２２は、反応処理室１２０の内圧を測定する圧力計１２２ａの圧力検出値に基づいて、反応処理室１２０の内圧を制御するためのものである。
【００４８】
排気系１３０には、上記排気ライン１２１に連通した排気ライン１３０Ａの途中に上述の排気トラップ２０又は３０が設けられている。また、この排気トラップ２０，３０の下流側に開閉弁１３２が設置されている。この開閉弁１３２は、バタフライ弁などのような開度を調整できる弁構造を有する。開閉弁１３２のさらに下流側には、排気装置１３３，１３４が接続されている。たとえば、排気装置１３３はメカニカルブースターポンプ、排気装置１３４はドライポンプである。
【００４９】
本実施形態においては、排気系１３０において、排気トラップ２０，３０の手前位置において排気ライン１３０Ａに反応ガスを導入するためのガス導入手段１３１が設けられている。このガス導入手段１３１は、排気ライン１３０Ａ内を流れる排気ガス中に含まれる未反応の処理ガスと反応する反応ガスを導入することによって、排気トラップ２０，３０の内部で生ずる堆積物の量を増大させ、これによって、その下流側の排気装置１３３，１３４の内部における堆積物の付着量を減少させるためのものである。反応ガスとしては、ＮＨ３、Ｏ２、Ｈ２などの酸化性ガス又は還元性ガス、水蒸気などの各種ガスが挙げられる。
【００５０】
なお、この反応ガスを導入するガス導入手段は、排気トラップの内部に直接反応ガスを導入するように構成されていてもよい。この場合、導入位置は、上記拡散部材の上流側（導入口側）であることが望ましい。
【００５１】
この反応処理装置１００においては、上記制御部１００Ａによってガス供給手段１１０、反応処理室１２０及び排気系１３０を全自動若しくは半自動的に制御できるように構成されている。この反応処理装置１００には、ガス供給手段１１０からクリーニングガス（ＣｌＦ３など）が反応処理室１２０やバイパスライン１１３を介して排気系１３０に供給できるように構成されている。そして、通常の反応処理プロセスだけでなく、反応処理室１２０や排気系１３０のクリーニング工程を実施できるように構成されている。これらのクリーニング工程は、たとえば、制御部１００Ａの制御の下に自動的に実行される。
【００５２】
排気トラップ２０，３０は、上述の如く、高コンダクタンスで長寿命という利点を有するものであるが、本実施形態では、排気トラップ２０，３０の寿命をさらに長くするために、排気トラップ２０，３０のクリーニング処理を実施することができる。このクリーニング処理は、▲１▼排気ガス排除工程、▲２▼クリーニング工程、▲３▼クリーニングガス排除工程の順で実行される。
【００５３】
▲１▼排気ガス排除工程では、排気装置１３３，１３４を稼動させた状態で、ガス供給手段１１０によって排気ライン１３０Ａに不活性ガスなどを供給し、開閉弁１３２の開度を大きくすることによって短時間のうちに排気系１３０から排気ガス（未反応の処理ガスや反応副生成物をも含む。）を排除（パージ）する。この排気ガス排除工程が所定時間実行された後に、▲２▼クリーニング工程を実施する。
【００５４】
▲２▼クリーニング工程では、ガス供給手段１１０からクリーニングガスを排気ライン１３０Ａに供給し、開閉弁１３２の開度を小さくすることによって排気トラップ２０，３０の内圧を高める。このときの排気トラップ２０，３０の内圧としては、通常プロセス中の圧力が０．１３３〜０．１９９ｋＰａ（１〜１．５Ｔｏｒｒ）程度の場合、１．３３〜１．９９ｋＰａ（１０〜１５Ｔｏｒｒ）程度に上昇させる。これによって、排気トラップ２０，３０の内部におけるクリーニング効果を高めることができる。このとき、排気トラップ２０，３０では、上記拡散部材２４，３４及び充填型フィルタ２５，３５を所定温度で加熱する。このクリーニング工程は、排気トラップ２０，３０内の堆積量に応じて適宜に設定された時間継続される。
【００５５】
▲３▼クリーニングガス排除工程では、上記クリーニング工程で用いたクリーニングガスを排除するために、不活性ガスなどを排気ライン１３０Ａに導入し、開閉弁１３２の開度を大きくして実行される。この工程も適宜の時間実施される。
【００５６】
なお、上記クリーニング工程における排気ライン１３０Ａへのガス供給は、反応処理室１２０を経由したガス供給であってもよく、バイパスライン１１３を経由した直接的な（反応処理室１２０を経由しない）ガス供給であってもよい。ただし、前者のガス供給経路では反応処理室１２０のクリーニング時と同様の経路となるので、反応処理室１２０の状況によってはクリーニング効果が低下する。一方、後者のガス供給経路で行うことによって、反応処理室１２０の状況に拘らずクリーニングが可能になり、また、クリーニング効果を高めることもできる。
【００５７】
［他の構成例］
次に、図６を参照して、上記の排気トラップの一部を異ならしめた他の構成例について説明する。図６（ａ）に示す排気トラップ５０においては、ハウジング５１に導入口５２及び導出口５３が設けられている。ハウジング５１の内側には、拡散部材５４及び充填型フィルタ５５が配置され、導入口５２と充填型フィルタ５５との間には、導入口５２の開口断面よりも大きな断面を有する空間が構成されている。拡散部材５４は、この空間において充填型フィルタから見た場合に導入口の開口断面の少なくとも一部を覆うように配置されている。
【００５８】
この構成例では、拡散部材５４は、排気ガスの流下方向と平行な平面上の断面形状が略円形に構成されている。このように、拡散部材５４が排気ガスの流下方向に滑らかに湾曲した曲面形状を有する表面を備えていることにより、導入口５２から導入された排気ガスをスムーズに拡散させて充填型フィルタ５５に到達させることができる。なお、この構成例の拡散部材５４は、たとえば、図の紙面と直交する方向の両端部においてハウジング５１に接続されるように構成することによって支持される。
【００５９】
ハウジング５１には、導入口５２から徐々に内部断面積を増大させるように構成された拡径部５１Ａを有する。これによって、導入口５２から導入された排気ガスを内部空間内に円滑に拡散させることができる。また、ハウジング５１の上記充填型フィルタ５５の収容部分には、導出口５３に向けて徐々に内部断面積を減少させるように構成された縮径部５１Ｂを有する。これによって、充填型フィルタ５５の断面積が導出口５３に向けて徐々に低減されるため、第２実施形態と同様に充填型フィルタ５５におけるフィルタ作用に実質的に寄与しない領域を低減することができ、堆積物の付着量の均一化を図ることができるため、充填物の無駄を無くすことができる。
【００６０】
図６（ｂ）には、さらに異なる排気トラップの構成例を示す。この構成例における拡散部材５６以外の構成は、図６（ａ）に示す排気トラップ５０と同様であるので、同一部分には同一符号を付し、それらの説明は省略する。この構成例では、拡散部材５６は、導入口５２から下流側に向けて徐々に断面を増大させた多角形状を備えている。これによって、導入口５２から導入された排気ガスを、拡散部材５６の断面の広がりに従って内部空間の周囲にスムーズに拡散させることができる。
【００６１】
図６（ｃ）には、上記とは別の排気トラップの構成例を示す。この構成例における拡散部材５７以外の構成も、図６（ａ）に示す排気トラップ５０と同様であるので、同一部分には同一符号を付し、それらの説明は省略する。この構成例では、拡散部材５７は多数の細孔５７ａを備えたものとなっている。また、拡散部材５７は、上記空間の全断面範囲に亘って配置されている。この場合、開口部５２の直下部分（図示中央部分）における細孔５７ａの開口率を小さくし、開口部５２の直下部分から離れるほど（中央から周縁部に向かうほど）に細孔５７ａの開口率が大きくなるように構成することが好ましい。たとえば、図示例のように、上記直下部分では細孔５７ａを小さくし、直下部分から離れるほど細孔５７ａを大きく形成すればよい。また、上記直下部分では細孔５７の形成密度を小さくし、直下部分から離れるほどに形成密度が大きくなるように構成しても構わない。これによって、排気ガスをより均一に拡散させることができる。なお、この拡散部材５７は、排気ガスに対する単なる拡散機能を有するのみならず、排気ガスの通過量を内部空間の断面全体に亘って均一化させる機能をも有するため、充填型フィルタ５５の表面近傍に配置されていても構わない。
【００６２】
図６（ｄ）には、さらに別の排気トラップの構成例を示す。この構成例における拡散部材５８以外の構成も、図６（ａ）に示す排気トラップ５０と同様であるので、同一部分には同一符号を付し、それらの説明は省略する。この構成例では、拡散部材５８は、内部空間において可動に構成され、その動作によって排気ガスを拡散させるようになっている。図示例では、拡散部材５８は複数のフィンを有するファン構造を有し、軸支部材５８ｂなどによって回転自在に軸支されている。そして、図示しない駆動手段による駆動力などによって拡散部材５８が回転することによりフィン５８ａが排気ガスを拡散させるように構成されている。
【００６３】
最後に、図７及び図８を参照して、排気トラップのさらに別の構成例について説明する。この排気トラップ４０は、ハウジング４１に導入口４２及び導出口４３が設けられ、その内部に凝着部材（凝着板、バッフル板、或いは、フィン）４５が配置されている。この凝着部材４５は、トラップ内部の流路方向に伸びる中心軸体４４に接続固定されている。図示例では、凝着部材４５は、中心軸体４４に設けられたフィンとして構成されている。
【００６４】
中心軸体４４の内部には流通路４４Ａが構成されている。一方、凝着部材４５の内部にも流通空間４５Ａが設けられている。この流通空間４５Ａは、上記の流通路４４Ａに連通している。凝着部材４５の表面には、上記流通空間４５Ａに連通した多数の噴出口４５Ｂが形成されている。そして、上記流通路４４Ａを介して流通空間４５Ａに反応ガスを供給することにより、上記の噴出口４５Ｂから反応ガスを排気トラップ４０の内部に噴出させることができる。このときの反応ガスは、上記反応処理装置１００において説明したガス導入手段１３１により導入される反応ガスと同じものである。
【００６５】
このように、排気トラップ４０の内部に凝着部材４５を配置し、この凝着部材４５から反応ガスを導出させるようにすることにより、排気トラップ４０内の排気ガスに反応ガスが混合されるため、未反応の処理ガスが反応して堆積物を発生する。これにより、排気トラップ４０の回収率を向上させることができる。また、この場合には、小さな噴出口４５Ｂから高圧の反応ガスを噴出させることによって、その断熱膨張効果によって凝着部材４５及びその周囲を冷却することができる。したがって、排気ガスを冷却することによって捕集率を高めることができる排気系ではより効果的である。また、図示例のように複数の凝着部材（フィン）を設けた場合には、反応ガスの導出量を調整する（たとえば、下流側に設置されている凝着部材から導出される反応ガス量を上流側の凝着部材から導出されるガス量よりも多くする）ことによって、複数の凝着部材により均一に堆積物を付着させることができる。これは、排気トラップのコンダクタンスの維持及び長寿命化に関して有効である。この排気トラップにおいては、例えば、ＴｉＣｌ４−ＮＨ３系でのＴｉＣｌｘ−ｎ（ＮＨｙ）（ｘ，ｎ，ｙは自然数）の捕集に特に有効である。
【００６６】
なお、このように反応ガスを導出（噴出）するように構成された凝着部材を上記発明（各実施形態）の拡散部材として用いることも可能である。これによって上記拡散部材における堆積量をさらに増加させることができる。また、上記の排気トラップ４０を、上記排気トラップ２０，３０の代わりに図５に示す反応処理装置１００に用いることもできる。さらに、冷却のための中心軸体４４及び凝着部材４５の内部に水等の冷媒を通す流通路を設けることにより更に冷却することができる。
【００６７】
本発明の排気トラップ、排気トラップのクリーニング方法、反応処理装置は、上述の図示例にのみ限定されるものではなく、本発明の要旨を逸脱しない範囲内において種々変更を加え得ることは勿論である。
【００６８】
たとえば、上記排気トラップの第１実施形態及び第２実施形態では、いずれも拡散部材を加熱する例を示してあるが、凝着作用において排気ガスを冷却した方が堆積量を増加できる排気系の場合には、冷媒などを拡散部材の内部に流すことによって、或いは、熱電効果などを用いた冷却部材を用いることなどによって、拡散部材を冷却するように構成してもよい。
【００６９】
【発明の効果】
以上説明したように本発明によれば以下の効果を奏する。
【００７０】
▲１▼充填型フィルタの上流側に空間を設けたことにより、導入口から導入された排気ガスをより広い断面範囲に拡散させることができるため、充填型フィルタへの堆積物の付着分布を分散させることができることから、目詰まりが低減され、排気トラップの長寿命化を図ることができる。
【００７１】
▲２▼拡散部材によって導入口から導入された排気ガスを拡散させることができるため、フィルタへの堆積物の付着分布を分散させることができることから、目詰まりが低減され、排気トラップの長寿命化を図ることができる。
【図面の簡単な説明】
【図１】本発明に係る第１実施形態の排気トラップの構造を示す概略断面図。
【図２】第１実施形態の拡散部材の形状を示す底面図（ａ）、Ｂ−Ｂ断面図（ｂ）、平面図（ｃ）及びＤ−Ｄ断面図（ｄ）。
【図３】第２実施形態の排気トラップの構造を示す概略断面図。
【図４】比較例の排気トラップの構造を示す概略断面図。
【図５】反応処理装置の全体構成を示す概略構成図。
【図６】他の構成例の排気トラップの構造を示す概略端面図（ａ）〜（ｄ）。
【図７】さらに別の他の構成例の排気トラップの構造を示す概略断面図。
【図８】拡散部材の拡大部分断面斜視図。
【符号の説明】
２０，３０…排気トラップ、２１，３１…ハウジング、２２，３２…導入口、２３，３３…導出口、２４，３４…拡散部材、２５，３５…充填型フィルタ、２６，３６…収容枠、２７，３７…加熱部材（加熱手段）、１００…反応処理装置、１１０…ガス供給手段、１２０…反応処理室、１３０…排気系、１３０Ａ…排気ライン、１３２…開閉弁、１３３，１３４…排気装置
【図１】
2004305950.tif 000003
【図２】
2004305950.tif 000004
【図３】
2004305950.tif 000005
【図４】
2004305950.tif 000006
【図５】
2004305950.tif 000007
【図６】
2004305950.tif 000008
【図７】
2004305950.tif 000009
【図８】
2004305950.tif 000010